(57)【要約】ヒンジ（２）は家具の扉（１）用の自動開閉装置を備え、開放装置は、その部材に対して扉（１）の開放方向の力をかける第１弾性手段（１８）の作用に対抗して可動でありかつその作用下で可動である押し出し部材（１７）と、押し出し部材（１７）に対する掛止要素（１９）を備えた押し出し部材（１７）のための解放可能な保持手段とを備える。掛止要素は押し出し部材（１７）との係合位置と脱係合位置との間で可動ある。掛止要素（１９）は、第１弾性手段（１８）を介して押し出し部材（１７）が及ぼす押圧によって係合位置に保持される。保持手段には掛止要素（１９）を作動させるための第２弾性手段（２０）がさらに備えられる。第２弾性手段は、押し出し部材（１７）に対して扉（１）の開放方向とは反対の方向にかけられる圧力の結果として、掛止要素（１９）を脱係合位置に向かって移動させるように構成および配置されている。
2014514474.tif 000002
【特許請求の範囲】
【請求項１】
家具の扉（１）用の自動開閉装置を備えたヒンジ（２）であって、前記開放装置は、その部材に対して扉（１）の開放方向の力をかける第１弾性手段（１８）の作用に対抗して可動であり、かつ、その作用下において可動である押し出し部材（１７）と、前記押し出し部材（１７）に対する掛止要素（１９）を備えた前記押し出し部材（１７）のための解放可能な保持手段とを備え、前記掛止要素は前記押し出し部材（１７）との係合位置と脱係合位置との間で可動あり、前記掛止要素（１９）は、前記第１弾性手段（１８）によって押し出し部材（１７）が及す押圧によって係合位置に保持されており、前記ヒンジは、前記保持手段が掛止要素（１９）を作動させるための第２弾性手段（２０）を備え、その第２弾性手段（２０）は、前記押し出し部材（１７）に対して前記扉（１）の開放方向と反対の方向にかけられる圧力の結果として、前記掛止要素（１９）を脱係合位置に向かって移動させるように構成および配置されていることを特徴とする、ヒンジ（２）。
【請求項２】
前記掛止要素（１９）は、前記第２弾性手段（２０）の作用に対抗して旋回可能であり、かつ、その作用下で旋回可能であるレバー（２３）の第１アーム（２２）の端部に設けられていることを特徴とする、請求項１に記載のヒンジ（２）。
【請求項３】
前記レバー（２３）はヒンジアーム（４）に適用された前記開放装置のベース本体（２１）によって支持されることを特徴とする、請求項１または２に記載のヒンジ（２）。
【請求項４】
前記第１レバーアーム（２２）は前記ベース本体（２１）の後端を越えて延び、前記掛止要素（１９）は押し出し部材（１７）の後端上に存在するキャッチ（２４）と係合可能であることを特徴とする、請求項１乃至３のいずれか１項に記載のヒンジ（２）。
【請求項５】
前記レバー（２３）は、前記押し出し部材（１７）の並進方向に直交して配向された旋回軸支点（２５）を有することを特徴とする、請求項２乃至４のいずれか１項に記載のヒンジ（２）。
【請求項６】
前記第２弾性手段（２０）は、ベース本体（２１）とレバー（２３）との間に挟まれたねじりばねを備える、請求項３乃至５のいずれか１項に記載のヒンジ（２）。
【請求項７】
前記ヒンジは、掛止要素（１９）の押し出し部材（１７）との係合の形態を自動的にリセットするための装置を備えることを特徴とする、請求項１乃至６のいずれか１項に記載のヒンジ（２）。
【請求項８】
前記リセット装置は、前記押し出し部材（１７）および前記レバー（２３）を合わせて駆動するための旋回可能部材（３３）を備え、前記駆動部材（３３）は、扉（１）の開放の間に、前記ヒンジの可動部分によって直接的および間接的のいずれかで作動可能であることを特徴とする、請求項１乃至７のいずれか１項に記載のヒンジ（２）。
【請求項９】
前記旋回可能な駆動部材（３３）は、駆動部材（３３）の旋回を押し出し部材（１７）の後方への並進に変換するために、押し出し部材（１７）上に存在する凹部（３５）の壁と干渉するのに適した駆動カム（３４）を有し、前記駆動部材（３３）は伝達棒（３７）を駆動するためのピン（３６）をさらに有し、前記伝達棒（３７）は、一端では駆動ピン（３６）に枢支され、反対端では駆動部材（３３）の旋回を掛止要素（１９）の係合位置に向かうレバー（２２）の旋回に変換するためにレバー（２３）の第２レバーアーム（３２）上に存在するスロット（３８）に摺動可能に係合するピン（３９）を有することを特徴とする、請求項１乃至８のいずれか１項に記載のヒンジ（２）。
【請求項１０】
前記駆動部材（３３）はヒンジアーム（４）に枢支されていることを特徴とする、請求項８または９に記載のヒンジ（２）。
【請求項１１】
前記駆動部材（３３）は、旋回可能な伝達部材（４２）を用いて、ヒンジアーム（４）とヒンジボックス（３）との間を接続するロッカーアーム（８）によって、作動可能であることを特徴とする、請求項１乃至１０のいずれか１項に記載のヒンジ（２）。
【請求項１２】
前記ロッカーアーム（８）、前記伝達部材（４２）、前記駆動部材（３３）、および前記レバー（２３）は平行な旋回軸支点を有する、請求項１乃至１１のいずれか１項に記載のヒンジ（２）。
【請求項１３】
掛止要素（１９）および押し出し部材（１７）上に存在するキャッチ（２４）の少なくとも一方は、傾斜面（４６）を備え、前記傾斜面は、掛止要素（１９）が係合位置に進入したときに、第１弾性手段（１８）によって決定されるキャッチ（２４）に対する掛止要素（１９）の接触圧を保証するように、リセット装置の作用下で到達する位置に対して押し出し部材１７の付加的な後退移動を生じるのに適している、請求項７乃至１２のいずれか１項に記載のヒンジ（２）。
【請求項１４】
前記ベース本体（２１）は、ねじ（４８）による、ヒンジアーム（４）に対するベース本体の固定のフロント調整のための細長い孔（４７）を有することを特徴とする、請求項２乃至１３のいずれか１項に記載のヒンジ（２）。
【請求項１５】
請求項１乃至１４のいずれか１項に記載の少なくとも１つのヒンジ（２）を有することを特徴とする家具。
【発明の詳細な説明】
【技術分野】
【０００１】
本発明は、家具の扉用の自動開閉装置を備えたヒンジに関し、とりわけ、しかしこれに限られず、プッシュセルフクロージング型ヒンジ、すなわち扉が開放および続く閉鎖のいずれも自動的に行うことができるようにするヒンジに関する。
【背景技術】
【０００２】
取っ手または同様の開放手段を有さない家具の分野において、利用者による閉鎖した扉の押圧を受けて、利用者が扉を把持して扉を完全に開放するのに十分な第１距離だけ扉の開放方向の移動を生じる開放手段の使用は周知である。
【０００３】
具体的には、従来、弾性力を受ける扉用の押し出し部材（ｅｘｐｕｌｓｉｏｎ  ｍｅｍｂｅｒ）と、前記押し出し部材自体を保持するための手段とを備えた開放装置が提供されている。前記手段は、一般に、利用者により、閉鎖した扉を押して数ミリメートルの後退移動を与えることによって解放され得る。
【０００４】
一旦その動作が実施されたならば、前記開放装置は、次に、その閉鎖動作の最終部分において、例えば利用者による扉に対して反対方向に及ぼされる押圧によって、または扉自体の動きによって作動される特別な再装着手段（ｒｅｌｏａｄｉｎｇ  ｍｅａｎｓ）によって、再装着（ｒｅｌｏａｄｅｄ）されなければならない。
【０００５】
従って、そのような装置はヒンジが固定される家具と反対側の家具上に配置され、前記装置を組み立て、かつ正しく機能させるためには特別な操作を必要とする。
実際、前記開放装置がヒンジの領域に配置されているか、またはヒンジ側の家具上に適用されているいかなる場合でも、利用者によって閉鎖した扉に及ぼされる押圧の結果として生じるヒンジ要素またはヒンジ側の扉自体の移動は、わずか１０分の数ミリメートルのオーダーのものであり、よって押し出し部材の保持手段の解放を可能にするのに必要な移動を生じるためには不十分である。
【発明の概要】
【発明が解決しようとする課題】
【０００６】
従って本発明が目指す技術的課題は、前述の従来技術の技術的不都合を克服することを可能にする家具の扉用の自動開閉装置を備えたヒンジを実現することにある。
この技術的課題の範囲内において、本発明の目的は、１０分の数ミリメートルのオーダーの扉の移動がある場合でさえ、押し出し部材が解放され得るようにする家具の扉用の自動開閉装置を備えたヒンジを提供することにある。
【０００７】
本発明の別の目的は、性能を何ら低下させることなく、永続的に機能することができ、かつ何らかの特別なプロセスまたは操作を必要とすることなく家具に適用することができる家具の扉用の自動開閉装置を備えたヒンジを提供することにある。
【課題を解決するための手段】
【０００８】
本発明による技術的課題は、家具の扉用の自動開閉装置を備えたヒンジを実現することによって達成される。前記開放装置は、その部材に扉の開放方向の力をかける第１弾性手段の作用に対抗して可動であり、かつその作用下において可動である押し出し部材と、前記押し出し部材に対する掛止要素（ｈｏｏｋｉｎｇ  ｅｌｅｍｅｎｔ）を備えた押し出し部材のための解放可能な保持手段とを備え、前記掛止手段は前記押し出し部材との係合位置と脱係合位置との間で可動ある。前記掛止要素は、前記第１弾性手段によって前記押し出し部材が及ぼす押圧によって係合位置に保持されている。前記ヒンジは、前記保持手段が掛止要素を作動させるための第２弾性手段を備え、第２弾性手段は、前記押し出し部材に対して前記扉の開放方向と反対の方向にかけられる圧力の結果として、前記掛止要素を脱係合位置に向かって移動させるように構成および配置されていることを特徴とする。
【０００９】
本発明の他の特性は、添付する特許請求の範囲においてさらに定義されている。
さらに、本発明の特性および利点は、家具の扉用の自動開閉装置を備えたヒンジの好ましいが、それに限られない実施形態の説明からより明らかになるであろう。
【図面の簡単な説明】
【００１０】
【図１】扉の閉鎖形態にあるヒンジの中央長手方向断面図。
【図２】利用者によって閉鎖した扉に及ぼされる押圧中にとられる形態にある図１のヒンジの側面図。
【図３】図２に示した形態にあるヒンジの部分断面図。
【図４】押し出し部材の解放の瞬間における、利用者によって閉鎖した扉に及ぼされる押圧の後にとられる形態にある図１のヒンジの側面図。
【図５】図４に示した形態にあるヒンジの部分断面図。
【図６】押し出し部材の展開（ｅｘｔｒａｃｔｉｏｎ）の終わりにとられる形態にある図１のヒンジの側面図。
【図７】図６に示した形態にあるヒンジの部分断面図。
【図８】押し出し部材がリセットされている形態にある図１のヒンジの側面図およびその詳細の拡大図。
【図９】図８に示した形態におけるヒンジの部分断面図。
【発明を実施するための形態】
【００１１】
図面を参照すると、家具の扉用の自動開閉装置を備えたヒンジ２が示されている。
ヒンジ２は、扉１に適用されたヒンジボックス３と、家具の固定部分、具体的には家具の肩６に固定するための基部５に適用されたヒンジアーム４と、ヒンジボックス３をヒンジアーム４に作動可能に接続するロッカーアーム７，８とを有する。
【００１２】
ヒンジ２は、既知の方法で、ロッカーアーム７，８とヒンジアーム４とを関節状に連結する（ａｒｔｉｃｕｌａｔｉｎｇ  ｗｉｔｈ）ピン１０，１１と、ロッカーアーム７，８とヒンジボックス３とを関節状に連結するピン１２，１３と、ヒンジボックス３の底部の外側面に適用された、粘性流体に浸漬された摩擦円板を備えたタイプの扉１のための閉鎖減速装置１４と、ヒンジアーム４の後部とロッカーアーム７の一端に存在する作動カム１６との間に配置され、扉１の閉鎖を支援するのに適した弾性要素１５とを備える。
【００１３】
前記開放装置は、その部材に対して扉１の開放方向の力をかける第１弾性手段１８の作用に対抗して可動であり、かつその作用下で可動である押し出し部材１７と、押し出し部材１７のための解放可能な保持手段とを備える。
【００１４】
前記保持手段は、押し出し部材１７のための掛止要素（ｈｏｏｋｉｎｇ  ｅｌｅｍｅｎｔ）１９を備える。
掛止要素１９は、押し出し部材１７との係合位置と、脱係合位置との間で可動である。
【００１５】
有利には、掛止要素１９は、第１弾性手段１８を介して押し出し部材１７が及ぼす押圧によって係合位置に保持される。
前記保持手段は、押し出し部材１７に対して扉１の開放方向とは反対方向にかけられる圧力の結果として、掛止要素１９を脱係合位置に向かって動かすように構成および配置された第２弾性手段２０をさらに備える。
【００１６】
前記開放装置は、ヒンジアーム４に適用され、かつ、押し出し部材１７を並進可能に支持するベース本体２１を有する。
ベース本体２１は第２弾性手段２０の作用に対抗して旋回可能であり、かつ、その作用下で旋回可能であるレバー２３を支持する。
【００１７】
掛止要素１９は、レバー２３の第１アーム２２の一端に形成されている。
レバー２３の第１アーム２２はベース本体２１の後端を越えて延び、掛止要素１９は押し出し部材１７の後端に存在するキャッチ２４と係合可能である。
【００１８】
レバー２３は押し出し部材１７の並進方向に直交して配向された旋回軸支点（ｐｉｖｏｔ  ｆｕｌｃｒｕｍ）２５を有する。
第２弾性手段２０はベース本体２１とレバー２３との間に挟まれたねじりばねを備える。前記ねじりばねは、具体的には、旋回軸支点（ｐｉｖｏｔ  ｆｕｌｃｒｕｍ）２５を構成するピンのまわりに巻き付けられており、レバー２３の第１アーム２２に結合された一端と、ベース本体２１上に存在する停止具２６に対して配置された一端とを有する。
【００１９】
ベース本体２１は押し出し部材１７を収容するための箱状の形態を有し、押し出し部材１７の後端２６はベース本体２１の後部開口２７を介して延出し、また押し出し部材１７の前端２８はベース本体２１の前部開口２９を介して延出している。
【００２０】
ベース本体２１は、押し出し部材１７および第１弾性手段１８のためのハウジング３０を内部に形成する。この場合、第１弾性手段１８は押し出し部材１７の移動の方向に変形可能であるコイルばねによって表わされている。
【００２１】
レバー２３はベース本体２１の側面３１に隣接して延びており、長さが長い第１レバーアーム２２と、ピン２５に対して第１レバーアーム２２の反対側に延在する長さが短い第２レバーアーム３２とを有する。
【００２２】
ベース本体２１は、ねじ４８によるヒンジアーム４に対するベース本体２１の固定のフロント調整（ｆｒｏｎｔ  ａｄｊｕｓｔｍｅｎｔ）のために、頂部に細長い孔４７を有する。
【００２３】
孔４７は押し出し部材１７の並進方向に細長くなっており、そのため、ねじ４８を緩めて該ねじの孔４７内における締結位置を変更し、続いて再度ねじ４８を締結することによって、押し出し部材１７の並進方向におけるベース本体２１の固定位置を較正することができる。
【００２４】
ヒンジ２内に一体化されて、掛止要素１９を押し出し部材１７との係合の形態に自動的にリセットするための装置が存在する。
前記リセット装置は、押し出し部材１７およびレバー２３を合わせて駆動する（ｃｏｍｂｉｎｅｄ  ｄｒｉｖｉｎｇ）ための旋回可能な部材３３を備える。
【００２５】
駆動部材３３は参照符号４０でヒンジアーム４に枢支（ｆｕｌｃｒｕｍｅｄ）されており、駆動部材３３の旋回を押し出し部材１７の後方への並進に変換するために、押し出し部材１７上に存在する凹部３５の壁と干渉するのに適したドライブカム３４を有する。駆動部材３３は、伝達棒３７を駆動するためのピン３６を有する。伝達棒３７は、駆動部材３３の旋回をレバー２２の掛止要素１９の係合位置への旋回に変換するために、一端ではピン３６に枢支され、反対端では第２レバーアーム３２上に存在するスロット３８と摺動可能に係合したピン３９を有する。
【００２６】
ピン３６は、参照符号４０に中心がある湾曲スロット４５を介して摺動可能にかつ自由に延びて、箱状の本体２１の側面３１上に形成されている。
駆動部材３３は、扉１の開放の間に、前記ヒンジの可動部分によって直接的または間接的に駆動され得る。
【００２７】
具体的には、駆動部材３３は、ロッカーアーム８に固定的に連結されたレバー８’によって、参照番号４４においてヒンジアーム４に枢支された伝達部材４２を用いて、作動させることができる。
【００２８】
駆動部材３３および伝達部材４２の旋回軸支点４０，４４は、互いに平行であり、またレバー２３の旋回軸支点に対して、次いでヒンジアーム４をヒンジボックス３に接続するロッカーアーム７，８の旋回軸支点１０，１１，１２，１３に対して平行である。
【００２９】
掛止要素１９および／または、好ましくは押し出し部材１７上に存在するキャッチ２４は傾斜面４６を備える。前記傾斜面４６は、掛止要素１９が係合位置に進入したときに、第１弾性手段１８によって決定されるキャッチ２４に対する掛止要素１９の接触圧を増大させる方法で、リセット装置の作用下において到達する位置に対して押し出し部材１７の付加的な後退移動を生じさせるのに適している。
【００３０】
ヒンジ２の機能は手短じかに言えば以下の通りである。
前記開放装置は、押し出し部材１７の前端が、扉１の厚さから突出したヒンジボックス３の縁部４９と干渉し得るか、または扉１の内面と直接干渉し得るような位置で、ヒンジ２に一体化されている。
【００３１】
例示した実施形態において、扉１は、最初は閉鎖されており（図２および図３）、ヒンジボックス３の縁部４９は押し出し部材１７の前端に当接しており、押し出し部材１７は後方でキャッチ２４によって掛止部材１９を拘束している。
【００３２】
係合位置における掛止部材１９の保持力は、第１弾性手段１８が押し出し部材１７に対して展開方向に及ぼす押圧作用によって実質的に決定され、具体的には、コイルばねの圧縮の程度に比例する。
【００３３】
利用者が閉鎖した扉１（図４および図５）を押し、それによりヒンジボックス３の縁部４９が押し出し部材１７の前端を押圧し、前記押し出し部材１７は、第２弾性手段２０の伸張によってもたらされるレバー２３の旋回（図面で反時計回りの方向）作用下において掛止要素１９の解放を決定するまで後方に移動する。
【００３４】
掛止部材１９が外れて、利用者が扉１を解放すると、押し出し部材１７は、第１弾性手段１８の拡張によって、自由に前方に開く（ｓｎａｐ  ｆｏｒｗａｒｄ）ことができ、それによって扉１の第１開放段階を生じさせる（図６および図７）。
【００３５】
開放装置のリセットは、利用者によってもたらされた扉１の開放の完了の後続段階の間に行なわれ、伝達部材４２および駆動部材３３を縦続式（ｉｎ  ｃａｓｃａｄｅ  ｆａｓｈｉｏｎ）に備えた機構（ｋｉｎｅｍａｔｉｃ  ｃｈａｉｎ）を作動させるロッカーアーム８による。
【００３６】
扉１の開放段階（最大約７５°の開放角度）の初期部分において、ロッカーアーム８は一定方向（図面では反時計回り）に旋回し、これは伝達部材４２の反対方向（図面では時計回り）４２の旋回と、駆動部材３３の一致した方向（図面では反時計回り）の旋回を決定する。
【００３７】
駆動部材３３は、該部材の旋回によって、２つの作用を実施する。一方では、駆動部材３３は、駆動カム３４によって、凹部３５の後壁に係合して押圧し、第１弾性手段１８によって対抗される押し出し部材１７を後退移動させて、第１弾性手段１８を圧縮させる。他方では、ピン３６によって、駆動部材３３は伝達棒３７を作動させ、伝達棒３７は、ピン３９によって、まずスロット３８内で摺動し、最終的にスロット３８の後端を押圧し、第２弾性手段２０によって対抗されるレバー２３を掛止要素１９の係合位置へ旋回運動させて、第２弾性手段２０を圧縮させる。
【００３８】
したがって、レバー２３の作動は押し出し部材１７の作動に対して時間的に遅れさせられており、そのため、レバー２３はキャッチ２４がその後退移動において掛止部材１９を通り過ぎた後のみに旋回するようになされている。
【００３９】
前述したように、掛止要素１９が係合位置（図８および図９）に戻ると、掛止要素１９はキャッチ２４上に存在する傾斜面４６と係合し、第１弾性手段１８によって決定される掛止要素１９のキャッチ２４に対する接触圧を保証するために、リセット装置の作用下において到達する位置に対して押し出し部材１７の付加的な後退移動をもたらす。このように、掛止要素１９と押し出し部材１７との間において安定かつ安全な係合の形態が得られる。
【００４０】
扉１の開放の完了の段階の最後部分において、ロッカーアーム８は旋回方向を逆転し、これは、単に、開放装置がリセット形態にあるままで、凹部３５の後壁からのドライブカム３４の脱係合、およびスロット３８の後端からのピン３９の脱係合をもたらす。これは、第１弾性手段１８によって生じる保持作用が、第２弾性手段２０によって生じる解放作用に対して優勢である結果、掛止要素１９が係合位置に保持され続けるためである。
【００４１】
本発明の特に有利な態様は、自動開閉装置が特別な形態を有し、そのため前記装置はヒンジに直接一体化され、保持手段は扉が１０分の数ミリメートル旋回したときにさえ押し出し部材の正しい解放を行うことができるという事実に存する。これは、疑いもなく開放装置の設置の簡易化をもたらし、特別な操作を必要とせず、家具の内部空間の利用可能性（ｅｘｐｌｏｉｔａｂｉｌｉｔｙ）を向上する。
【００４２】
したがって考えられたヒンジは、本発明の概念の範囲内にすべて存する多くの変更および変形の余地があり、さらに全詳細は他の技術的に均等な要素と置き替えられてもよい。
実際上、寸法だけでなく用いられる材料も、技術的必要性および技術的現状に従って、どのようなものであってもよい。
【図１】
2014514474.tif 000003
【図２】
2014514474.tif 000004
【図３】
2014514474.tif 000005
【図４】
2014514474.tif 000006
【図５】
2014514474.tif 000007
【図６】
2014514474.tif 000008
【図７】
2014514474.tif 000009
【図８】
2014514474.tif 000010
【図９】
2014514474.tif 000011
【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
家具の扉（１）用の自動開閉装置を備えたヒンジ（２）であって、前記装置は、押し出し部材（１７）であって、その押し出し部材に対して扉（１）の開放方向の力をかける第１弾性手段（１８）の作用に対抗して可動であり、かつ、その作用下において可動である押し出し部材（１７）と、前記押し出し部材（１７）に対する掛止要素（１９）を備えた前記押し出し部材（１７）のための解放可能な保持手段とを備え、前記掛止要素は前記押し出し部材（１７）との係合位置と脱係合位置との間で可動あり、前記掛止要素（１９）は、前記第１弾性手段（１８）によって押し出し部材（１７）が及す押圧によって係合位置に保持されており、
前記ヒンジにおいて、前記保持手段は掛止要素（１９）を作動させるための第２弾性手段（２０）を備え、その第２弾性手段（２０）は、前記押し出し部材（１７）に対して前記扉（１）の開放方向と反対の方向にかけられる圧力の結果として、前記掛止要素（１９）を脱係合位置に向かって移動させるように構成および配置されており、
前記第１弾性手段（１８）は係合位置において前記掛止要素（１９）に対して保持作用を生じ、前記第２弾性手段（２０）は係合位置において前記掛止要素（１９）に対して解放作用を生じ、保持作用が解放作用に対して優勢であることを特徴とする、ヒンジ（２）。
【請求項２】
前記掛止要素（１９）は、前記第２弾性手段（２０）の作用に対抗して旋回可能であり、かつ、その作用下で旋回可能であるレバー（２３）の第１アーム（２２）の端部に設けられていることを特徴とする、請求項１に記載のヒンジ（２）。
【請求項３】
前記レバー（２３）はヒンジアーム（４）に適用された前記装置のベース本体（２１）によって支持されることを特徴とする、請求項１または２に記載のヒンジ（２）。
【請求項４】
前記第１レバーアーム（２２）は前記ベース本体（２１）の後端を越えて延び、前記掛止要素（１９）は押し出し部材（１７）の後端上に存在するキャッチ（２４）と係合可能であることを特徴とする、請求項１乃至３のいずれか１項に記載のヒンジ（２）。
【請求項５】
前記レバー（２３）は、前記押し出し部材（１７）の並進方向に直交して配向された旋回軸支点（２５）を有することを特徴とする、請求項２乃至４のいずれか１項に記載のヒンジ（２）。
【請求項６】
前記第２弾性手段（２０）は、ベース本体（２１）とレバー（２３）との間に挟まれたねじりばねを備える、請求項３乃至５のいずれか１項に記載のヒンジ（２）。
【請求項７】
前記ヒンジは、掛止要素（１９）の押し出し部材（１７）との係合の形態を自動的にリセットするための装置を備えることを特徴とする、請求項１乃至６のいずれか１項に記載のヒンジ（２）。
【請求項８】
前記リセット装置は、前記押し出し部材（１７）および前記レバー（２３）を合わせて駆動するための旋回可能部材（３３）を備え、前記駆動部材（３３）は、扉（１）の開放の間に、前記ヒンジの可動部分によって直接的および間接的のいずれかで作動可能であることを特徴とする、請求項１乃至７のいずれか１項に記載のヒンジ（２）。
【請求項９】
前記旋回可能な駆動部材（３３）は、駆動部材（３３）の旋回を押し出し部材（１７）の後方への並進に変換するために、押し出し部材（１７）上に存在する凹部（３５）の壁と干渉するのに適した駆動カム（３４）を有し、前記駆動部材（３３）は伝達棒（３７）を駆動するためのピン（３６）をさらに有し、前記伝達棒（３７）は、一端では駆動ピン（３６）に枢支され、反対端では駆動部材（３３）の旋回を掛止要素（１９）の係合位置に向かうレバー（２２）の旋回に変換するためにレバー（２３）の第２レバーアーム（３２）上に存在するスロット（３８）に摺動可能に係合するピン（３９）を有することを特徴とする、請求項１乃至８のいずれか１項に記載のヒンジ（２）。
【請求項１０】
前記駆動部材（３３）はヒンジアーム（４）に枢支されていることを特徴とする、請求項８または９に記載のヒンジ（２）。
【請求項１１】
前記駆動部材（３３）は、旋回可能な伝達部材（４２）を用いて、ヒンジアーム（４）とヒンジボックス（３）との間を接続するロッカーアーム（８）によって、作動可能であることを特徴とする、請求項１乃至１０のいずれか１項に記載のヒンジ（２）。
【請求項１２】
前記ロッカーアーム（８）、前記伝達部材（４２）、前記駆動部材（３３）、および前記レバー（２３）は平行な旋回軸支点を有する、請求項１乃至１１のいずれか１項に記載のヒンジ（２）。
【請求項１３】
掛止要素（１９）および押し出し部材（１７）上に存在するキャッチ（２４）の少なくとも一方は、傾斜面（４６）を備え、前記傾斜面は、掛止要素（１９）が係合位置に進入したときに、第１弾性手段（１８）によって決定されるキャッチ（２４）に対する掛止要素（１９）の接触圧を保証するように、リセット装置の作用下で到達する位置に対して押し出し部材１７の付加的な後退移動を生じるのに適している、請求項７乃至１２のいずれか１項に記載のヒンジ（２）。
【請求項１４】
前記ベース本体（２１）は、ねじ（４８）による、ヒンジアーム（４）に対するベース本体の固定のフロント調整のための細長い孔（４７）を有することを特徴とする、請求項２乃至１３のいずれか１項に記載のヒンジ（２）。
【請求項１５】
請求項１乃至１４のいずれか１項に記載の少なくとも１つのヒンジ（２）を有することを特徴とする家具。
【国際調査報告】
2014514474.tif 000012
2014514474.tif 000013
2014514474.tif 000014